(57)【要約】【課題】簡単な構造でＦＯＴをガタ付きなく固定することが可能な、また、ＦＯＴのピン位置を安定させることが可能な光コネクタを提供する。【解決手段】光コネクタハウジング１とＦＯＴ３との組み付けを行うと、先ずＦＯＴ本体９の挿入部１３が光コネクタハウジング１の連通部５に挿入され、この後にＦＯＴ本体９の圧入突起１４が光コネクタハウジング１のＦＯＴ本体収容部４に形成される被圧入溝４に圧入される。これにより、圧入状態となる部分が二箇所形成される。ＦＯＴ本体９は、ＦＯＴ本体収容部４において傾く（ローリング）ことなく、また、ガタ付くことなく固定される。【選択図】図１
2010107718.tif 000002
【特許請求の範囲】
【請求項１】
光素子を有するＦＯＴ本体、及び該ＦＯＴ本体からのびて回路基板に電気的に接続される複数のピン、を備えるＦＯＴ（Fiber Optic Transceiver ）と、前記ＦＯＴ本体を収容するＦＯＴ本体収容部、相手側光コネクタとの嵌合部分となるコネクタ嵌合部、及び前記光素子の位置に合わせて前記ＦＯＴ本体収容部と前記コネクタ嵌合部とを連通する筒状の連通部、を有する光コネクタハウジングと、を含む光コネクタにおいて、
前記ＦＯＴ本体収容部は、前記連通部が開口する部分の周囲に溝状の被圧入溝を複数有し、前記ＦＯＴ本体は、前記被圧入溝に対して圧入するリブ状の圧入突起を複数有する
ことを特徴とする光コネクタ。
【請求項２】
請求項１に記載の光コネクタにおいて、
前記ＦＯＴ本体は、前記連通部に挿入する筒状又はリング状の挿入部を有し、該挿入部の外周面に前記圧入突起を形成する
ことを特徴とする光コネクタ。
【発明の詳細な説明】
【技術分野】
【０００１】
本発明は、光通信分野で用いられるレセプタクルタイプの光コネクタに関する。
【背景技術】
【０００２】
下記特許文献１には、以下に説明するような光コネクタが開示されている。
光コネクタは、プラグタイプの光コネクタと、このプラグタイプの光コネクタが嵌合するレセプタクルタイプの光コネクタとにより構成されている。プラグタイプの光コネクタには、光ファイバ端末に設けられたフェルールが収容保持されている。一方、レセプタクルタイプの光コネクタは、機器に内蔵された回路基板に対して実装されるような構成を有している。
【０００３】
レセプタクルタイプの光コネクタについてもう少し詳しく説明すると、回路基板に固定するための固定部を有する光コネクタハウジングと、発光素子を有する発光側ＦＯＴ（Fiber Optic Transceiver ）と、受光素子を有する受光側ＦＯＴと、発光側ＦＯＴ、受光側ＦＯＴ、及び光コネクタハウジングを一括して覆い、これらに電磁ノイズ対策を施すシールドケースと、を備えて構成されている。発光側ＦＯＴ及び受光側ＦＯＴは、回路基板との電気的な接続を図るために、それぞれ複数のピン（リードフレーム）を有している。
【０００４】
ところで、レセプタクルタイプの光コネクタにあっては、次のような問題点を解消することができるようになっている。すなわち、これ以前の光コネクタにおいては、光コネクタハウジングに収容された発光側ＦＯＴ及び受光側ＦＯＴの固定状態が不十分であると、発光側ＦＯＴ及び受光側ＦＯＴにガタ付きが生じてしまい（ピンがのびる方向にガタ付きが生じる）、これによって光軸がずれてしまうという問題点を有していたが、レセプタクルタイプの光コネクタにあっては、この問題点を以下の構造によって解消することができるようになっている。
【０００５】
具体的な構造を挙げると、発光側ＦＯＴ及び受光側ＦＯＴにおける各ＦＯＴ本体の側部には、固定用の穴となる固定用穴が形成されている。また、光コネクタハウジングには、上記固定用穴が圧入されるボス状のＦＯＴ固定突起が突出形成されている（ＦＯＴ固定突起は、各ＦＯＴ本体を収容するためのＦＯＴ本体収容部に形成されている）。さらに、ＦＯＴ本体収容部には、ＦＯＴ本体を支持する支持突起が形成されている。このような構造を有することによって、発光側ＦＯＴ及び受光側ＦＯＴは、ピンののびる方向にガタ付きが生じないようになっている。
【０００６】
下記特許文献１に開示されたレセプタクルタイプの光コネクタは、ＦＯＴ本体収容部のＦＯＴ固定突起にＦＯＴ本体の固定用穴を圧入し、そして、ＦＯＴ本体収容部の支持突起によってＦＯＴ本体を支えることにより、光軸のズレを防止することができるようになっている。
【特許文献１】特開２００６−２１５２７６号公報
【発明の開示】
【発明が解決しようとする課題】
【０００７】
上記従来技術にあっては、ボス状のＦＯＴ固定突起が太く成形された場合、このＦＯＴ固定突起に固定用穴を圧入することができず、逆に細く成形された場合には、ＦＯＴがＦＯＴ本体収容部においてガタ付いてしまう。このようなことから、ＦＯＴ固定突起の成形精度は高い精度が要求されている。従って、上記従来技術にあっては、高精度な金型加工を施す必要があり、コストが嵩んでしまうという問題点を有している。
【０００８】
この他、ＦＯＴ固定突起は変形する恐れがあり（比較的細い突起であるため）、仮に変形が生じた場合には、ＦＯＴがＦＯＴ本体収容部においてガタ付いてしまうという問題点を有している。ガタ付きは、ＦＯＴ固定突起を中心にしてＦＯＴが回転する方向に移動するような、傾きとなるガタ付きになってしまう。
【０００９】
尚、ＦＯＴが傾いた状態でアッセンブリされた光コネクタは、不良品扱いになってしまう。不良品は、歩留まりの低下や資源の無駄という問題点に繋がってしまうことになる。
【００１０】
本発明は、上記した事情に鑑みてなされたもので、簡単な構造でＦＯＴをガタ付きなく固定することが可能な光コネクタ、また、ＦＯＴのピン位置を安定させることが可能な光コネクタを提供することを課題とする。
【課題を解決するための手段】
【００１１】
上記課題を解決するためになされた請求項１記載の本発明の光コネクタは、光素子を有するＦＯＴ本体、及び該ＦＯＴ本体からのびて回路基板に電気的に接続される複数のピン、を備えるＦＯＴ（Fiber Optic Transceiver ）と、前記ＦＯＴ本体を収容するＦＯＴ本体収容部、相手側光コネクタとの嵌合部分となるコネクタ嵌合部、及び前記光素子の位置に合わせて前記ＦＯＴ本体収容部と前記コネクタ嵌合部とを連通する筒状の連通部、を有する光コネクタハウジングと、を含む光コネクタにおいて、前記ＦＯＴ本体収容部は、前記連通部が開口する部分の周囲に溝状の被圧入溝を複数有し、前記ＦＯＴ本体は、前記被圧入溝に対して圧入するリブ状の圧入突起を複数有することを特徴としている。
【００１２】
このような特徴を有する本発明によれば、光コネクタハウジングに対するＦＯＴの組み付けを行うと、ＦＯＴのＦＯＴ本体に形成される圧入突起が光コネクタハウジングのＦＯＴ本体収容部に形成される被圧入溝に圧入され、これによってＦＯＴは固定される。圧入構造は、リブと溝との圧入となる構造であることから簡素で且つ変形し難く、また、複数箇所の圧入になることからＦＯＴは確実に固定される。
【００１３】
請求項２記載の本発明の光コネクタは、請求項１に記載の光コネクタにおいて、前記ＦＯＴ本体は、前記連通部に挿入する筒状又はリング状の挿入部を有し、該挿入部の外周面に前記圧入突起を形成することを特徴としている。
【００１４】
このような特徴を有する本発明によれば、先ずＦＯＴに形成される挿入部が光コネクタハウジングに形成される連通部に挿入され、この後にＦＯＴの圧入突起が光コネクタハウジングの被圧入溝に圧入される。ＦＯＴは、この挿入部が光コネクタハウジングの連通部に挿入されることによってガタ付き難くなる。挿入部は、組み付けの際にガイドとしても機能する。
【発明の効果】
【００１５】
請求項１に記載された本発明によれば、リブ状の圧入突起と溝状の被圧入溝との圧入によりＦＯＴをガタ付きなく固定することができる。また、本発明によれば、ＦＯＴをガタ付きなく固定するための構造を簡単な構造で提供することができる。さらに、本発明によれば、ＦＯＴのピン位置を安定させて歩留まりの向上を図ることや資源の無駄を防止することができる。
【００１６】
請求項２に記載された本発明によれば、圧入突起を有する挿入部をＦＯＴ本体に形成することにより、ＦＯＴのガタ付き防止の向上を図ることができる。また、本発明によれば、挿入部を形成することにより、ＦＯＴと光コネクタハウジングとの組み付け作業性を向上させることができる。
【発明を実施するための最良の形態】
【００１７】
以下、図面を参照しながら説明する。図１は本発明の光コネクタの一実施の形態を示す図であり、（ａ）はＦＯＴの斜視図、（ｂ）は光コネクタハウジングをＦＯＴ本体収容部側から見た図、（ｃ）はＦＯＴ本体収容部にＦＯＴを収容固定した状態の図である。
【００１８】
図１において、本発明の光コネクタは、ＯＡ、ＦＡ、車載機器等の光通信に用いられるレセプタクルタイプのものであって、光コネクタハウジング１と、スリーブ２と、一対のＦＯＴ（Fiber Optic Transceiver ）３と、図示しないシールドケースとを備えて構成されている（本発明の光コネクタの外観は、背景技術の欄で挙げた特許文献１の光コネクタと基本的に同じであるものとする。本発明の光コネクタは、図示しない回路基板に実装されるものとする）。
【００１９】
上記光コネクタハウジング１は、絶縁性を有する合成樹脂材料により成形される箱状の部材であって、図示しないコネクタ嵌合部と、一対のＦＯＴ本体収容部４と、一対の連通部５とを有している。コネクタ嵌合部は、プラグタイプの光コネクタ（図示省略）の差し込み及び嵌合を許容することができるような形状に形成されている。コネクタ嵌合部は、光コネクタハウジング１の前面側に配置形成されている。
【００２０】
ＦＯＴ本体収容部４は、光コネクタハウジング１の後面側に配置形成されている。ＦＯＴ本体収容部４は、上記後面を開口させてこの内部に一対のＦＯＴ３の後述するＦＯＴ本体を各々収容することができるように形成されている。ＦＯＴ本体収容部４は、一対のＦＯＴ（発光側ＦＯＴ及び受光側ＦＯＴ）を横に並べた状態に収容することができるように形成されている。
【００２１】
連通部５は、ＦＯＴ本体収容部４とコネクタ嵌合部とを連通するように形成されている。また、連通部５は、ＦＯＴ３の後述する光素子の位置に合わせて配置形成されている。連通部５は、略筒状となる形状であって、この一端がＦＯＴ本体収容部４に開口するように形成されている。連通部５は、この前方からプラグタイプの光コネクタのフェルール（図示省略）を挿入することができ、後方からはスリーブ２等を挿入することができるように形成されている。
【００２２】
ＦＯＴ本体収容部４は、溝状となる一対の被圧入溝６を有している。被圧入溝６は、ＦＯＴ本体収容部４において連通部５が開口する部分の周囲に形成されている。本形態の被圧入溝６は、上下方向（ＦＯＴ３の後述するピンがのびる方向）で対になるように配置形成されている。
【００２３】
図中上側の被圧入溝６は、この溝内の下側が連通部５に連続するように形成されている。また、図中上側の被圧入溝６は、後述する圧入状態を形成するための部分を溝内の上側に有している（上下方向の高さ寸法が入口よりも小さくなるような部分を有している）。一方、図中下側の被圧入溝６も同様で、溝内の上側が連通部５に連続するように形成されている。また、図中下側の被圧入溝６は、この溝内の下側に上下方向の高さ寸法が入口よりも小さくなるような部分を有している。
【００２４】
被圧入溝６は、本形態において、連通部５の周囲に１８０度ピッチとなるように一対形成されている。尚、この配置や数は一例であるものとする（数は複数が好ましいものとする）。
【００２５】
ＦＯＴ本体収容部４は、引用符号７で示す如くのピン支持部を有している。ピン支持部７は、ＦＯＴ３の後述するピンを支持するための部分として形成されている。図中、ピン支持部７よりも下側に見える突起は、図示しない回路基板に固定するための固定部８を示している。固定部８は、光コネクタハウジング１の下面から突出するように形成されている。尚、図示しないシールドケースにも回路基板に対する固定部が形成されている（シールドケースは回路基板に接続されるグランドピンも有している）。
【００２６】
上記ＦＯＴ３は、図示しない光素子（公知の発光素子又は受光素子）を有するＦＯＴ本体９と、このＦＯＴ本体９の下部からのびて図示しない回路基板に電気的に接続される複数のピン１０とを備えて構成されている。
【００２７】
ＦＯＴ本体９は、図示しない光素子を実装する光素子実装部１１と、この光素子実装部１１の前面を覆う実装部カバー１２とを有している。図示しない光素子は、光素子実装部１１の所定位置にワイヤボンディング等で実装されている。複数のピン１０は、導電性を有しており、光素子実装部１１に連成されている。
【００２８】
実装部カバー１２は、図示しない光素子を臨むリング状（又は筒状）の挿入部１３を有している。挿入部１３は、ＦＯＴ本体収容部４に開口する連通部５に挿入することができるような大きさに形成されている（連通部５に対してクリアランスが僅かとなるような直径で形成することが好ましい）。
【００２９】
このような挿入部１３の外周面には、リブ状となる一対の圧入突起１４が形成されている。圧入突起１４は、ＦＯＴ本体収容部４の対応する被圧入溝６に差し込んで圧入状態を形成するための部分として形成されている。圧入突起１４は、上下方向で対になるように配置形成されている。圧入突起１４は、被圧入溝６の溝内における上記高さ寸法よりも若干高く突出するように形成されている。
【００３０】
上記スリーブ２は、光透過性を有する透明な材料により成形される導光部材１５と、この導光部材１５の周囲に設けられる円筒部１６とを有している。スリーブ２は、ＦＯＴ３の光素子と、プラグタイプの光コネクタにおけるフェルール端面（光ファイバ端面）との間に介在する光学部品として備えられている。
【００３１】
上記構成及び構造において、例えば予めスリーブ２を光コネクタハウジング１の連通部５に挿入した状態で、光コネクタハウジング１とＦＯＴ３との組み付けを行うと、先ずＦＯＴ本体９の挿入部１３が光コネクタハウジング１の連通部５に挿入され、この後にＦＯＴ本体９の圧入突起１４が光コネクタハウジング１のＦＯＴ本体収容部４に形成される被圧入溝４に圧入される。これにより、圧入状態となる部分が二箇所形成される。二箇所の圧入状態の形成は、回転方向のガタ付き防止及び上下方向のガタ付き防止に有効であり、結果、ＦＯＴ本体９は、ＦＯＴ本体収容部４において傾く（ローリング）ことなく、また、ガタ付くことなく固定される。
【００３２】
以上、本発明によれば、リブ状の圧入突起１４と溝状の被圧入溝４との圧入によりＦＯＴ３をガタ付きなく固定することができる。ＦＯＴ３をガタ付きなく固定するための圧入突起１４及び被圧入溝４は、上記説明及び図からも分かるように簡単な構造である。
【００３３】
また、本発明によれば、ＦＯＴ３をガタ付きなく固定することから、ＦＯＴ３のピン１０の位置を安定させ、歩留まりの向上を図ることや資源の無駄を防止することができる。
【００３４】
さらに、本発明によれば、挿入部１３を有しこの挿入部１３に圧入突起１４を形成することによって、ＦＯＴ３のガタ付き防止に寄与することができる。また、挿入部１３の形成によって、ガイド機能を持たせることができ、ＦＯＴ３と光コネクタハウジング１との組み付け作業性を向上させることができる。
【００３５】
本発明は本発明の主旨を変えない範囲で種々変更実施可能なことは勿論である。
【００３６】
本発明は上記光コネクタ１の構成に限定されないものとする。光コネクタとしては、上記の他に、所謂ピッグテールタイプの光コネクタや、光コネクタと電気コネクタとを一体化させてなるハイブリッドコネクタ等が存在し、これらに本発明を適用させても良いものとする。
【図面の簡単な説明】
【００３７】
【図１】本発明の光コネクタの一実施の形態を示す図であり、（ａ）はＦＯＴの斜視図、（ｂ）は光コネクタハウジングをＦＯＴ本体収容部側から見た図、（ｃ）はＦＯＴ本体収容部にＦＯＴを収容固定した状態の図である。
【符号の説明】
【００３８】
１  光コネクタハウジング
２  スリーブ
３  ＦＯＴ（Fiber Optic Transceiver ）
４  ＦＯＴ本体収容部
５  連通部
６  被圧入溝
７  ピン支持部
８  固定部
９  ＦＯＴ本体
１０  ピン
１１  光素子実装部
１２  実装部カバー
１３  挿入部
１４  圧入突起
１５  導光部材
１６  円筒部
【図１】
2010107718.tif 000003